(57)【要約】      （修正有）【課題】キャディーバッグ等に吊着して用いる使用方法と、机上等に起立させて飾る使用方法とを適宜選択可能としたネームタグを提供する。【解決手段】本ネームタグ１は、主に上部にベルトや紐などを通すための孔部を有する平板状の本体２とコの字状に形成される脚部６とからなり、該脚部は本体裏面の中央部左右端近辺にそれぞれ端部がヒンジ９によって連結されており、該脚部が所定の位置までしか開かない開閉規制手段を設ける。【選択図】図５
0003158912.tif 000002
【実用新案登録請求の範囲】
【請求項１】
平板状の本体と、
本体を起立させるための脚部とからなり、
該本体には紐類を通すための孔部を有する吊着部が設けられていることを特徴とするネームタグ。
【請求項２】
該脚部はヒンジにより該本体と連結され、ヒンジの軸芯を軸として脚部が開閉し、該脚部は閉じた状態から所定角度以上は開かない開閉規制手段を有することを特徴とする請求項１に記載のネームタグ。
【請求項３】
該脚部はコの字状の平板であって、脚部の両端部がヒンジにより本体左右端部に連結されていることを特徴とする請求項２に記載のネームタグ。
【請求項４】
該脚部を閉じた状態から３０度〜７０度の所定角度まで脚部が開く開閉規制手段を有することを特徴とする請求項２又は請求項３に記載のネームタグ。
【請求項５】
本体の脚部が連結される面には脚部の形状に対応する凹状の、あるいは本体周辺近辺を切り欠いた脚部収容部が形成され、該脚部を該脚部収容部に収容した際、本体裏面と脚部の外側面とが略同一面を形成することを特徴とする請求項２から請求項４の何れかに記載のネームタグ。
【請求項６】
該本体及び該脚部に磁石又は磁性体が埋設されており、該本体と該脚部とを磁力により着脱可能とすることを特徴とする請求項１から請求項５の何れかに記載のネームタグ。
【考案の詳細な説明】
【技術分野】
【０００１】
本考案はゴルフバッグに吊着する使用方法と机上等に起立させて展示する使用方法とを適宜選択して用いることができるネームタグに関するものである。
【背景技術】
【０００２】
ゴルフ競技ではトーナメントに参加した場合に参加品や景品としてゴルフバッグに吊着して用いるネームタグを配布することがよくある。
ゴルフバッグ用のネームタグとしては、一般に平板状で上部にベルトを通すための孔部が設けられているものが多く用いられている（例えば実開昭６３−９９２０３）。
【先行技術文献】
【特許文献】
【０００３】
【特許文献１】実開昭６３−９９２０３号公報
【考案の概要】
【考案が解決しようとする課題】
【０００４】
ゴルフプレイヤーやゴルフ愛好家はゴルフトーナメント等のイベントに参加するとネームタグを手に入れることが多く、複数個ネームタグを所持していることが多い。
しかしながら通常ネームタグはゴルフバッグが誰のものであるか識別するために用いられるものであり、バッグ１つにつきネームタグ１つあれば事足りる。逆にバッグに複数個ネームタグを吊着するとタグ同士が衝突したりバッグ自体が重くなるため、快適なゴルフプレーの妨げになってしまう。そのため多くのプレーヤーはネームタグを複数個所持しながらも、実際にバッグに付けるのは１つであり、その他のネームタグは自宅の部屋などで主に箱に入れたまま保管されているのが現状である。
【０００５】
現在利用されているネームタグは上述の通り上部にベルトを通すための孔が設けられた平板状のものが主流であり、専らゴルフバッグに吊着して用いることしか想定されていない。そのため、ネームタグを机の引出しや化粧箱等に入れて保管する場合、タグを横たわらせて保管することしかできない。
したがって、ゴルフ用のネームタグは表面のデザインに凝っているものが多いにも関わらず、従来のネームタグは机上あるいは飾り棚に飾るなどして保管することは困難であった。
【課題を解決するための手段】
【０００６】
上記の課題を解決するために、本考案に係るネームタグは、平板状の本体と、本体を起立させるための脚部とからなり、該本体には紐類を通すための孔部を有する吊着部が設けられていることを要旨とする。
【０００７】
また本考案に係るネームタグは前記構成においてさらに、該脚部はヒンジにより該本体と連結され、ヒンジの軸芯を軸として脚部が開閉し、該脚部は閉じた状態から所定角度以上は開かない開閉規制手段を有することを要旨とする。
【０００８】
また本考案に係るネームタグは前記構成においてさらに、該脚部はコの字状の平板であって、脚部の両端部がヒンジにより本体左右端部に連結されていることを要旨とする。
【０００９】
また本考案に係るネームタグは前記構成においてさらに、該脚部を閉じた状態から３０度〜７０度の所定角度まで脚部が開く開閉規制手段を有することを要旨とする。
【００１０】
また本考案に係るネームタグは前記構成においてさらに、本体の脚部が連結される本体裏面には脚部の形状に対応する凹状の、あるいは本体周辺近辺を切り欠いた脚部収容部が形成され、該脚部を該脚部収容部に収容した際、本体裏面から脚部外側面が突出せず、略同一面を形成することを要旨とする。
【００１１】
また本考案に係るネームタグは前記構成においてさらに、該本体及び該脚部に磁石又は磁性体が埋設されており、該本体と該脚部とを磁力により着脱可能とすることを要旨とする。
【考案の効果】
【００１２】
本考案に係るネームタグは、主に上部に紐類を通すための孔部を有する平板状の本体とコの字状に形成される脚部とからなり、該脚部は本体裏面の中央部左右端近辺にヒンジによって連結される。また該ネームタグは、該脚部が所定の位置までしか開かない開閉規制手段が設けられている。
したがって、該ネームタグはゴルフバッグ等に吊着して使用するほか、脚部を所定位置まで開くことにより、本体をやや後方に傾斜した状態で起立させて机上や箪笥の上等に設置することが可能となった。これによりネームタグを複数個所持している場合、机上等に並べて飾り、ネームタグを保管すると同時に展示して外観を楽しむことができる。
また、ネームタグをバッグ等に吊着して用いる場合、脚部を開くことで形成される孔部にハンカチやタオル等を引掛けて吊るすことが可能となった。これによりタオル等をバッグの中などに収納する必要がなくなり、プレー中にタオル等が必要となった場合、簡便に使用することができる。
【図面の簡単な説明】
【００１３】
【図１】実施例に係るネームタグを示す正面図である。
【図２】実施例に係るネームタグを示す背面図である。
【図３】実施例に係るネームタグを示す右側面図である。
【図４】実施例に係るネームタグの脚部を開いた状態を示す右側面図である。
【図５】実施例に係るネームタグの使用状態を示す参考斜視図である。
【図６】実施例に係るネームタグのその他の使用状態を示す参考斜視図である。
【考案を実施するための形態】
【００１４】
本考案に係るネームタグは主に薄い平板状の本体と、本体を起立させるための脚部とからなり、該脚部は本体裏面にヒンジ等の連結手段によって連結されている。また本体上部にはベルトを通すための孔部が設けられている。
本体及び脚部の材質は金属、プラスチック等、外部からの衝撃によって容易には変形しないだけの強度があり、かつある程度の重さがあるものであれば種類は問わない。
本体の大きさは適宜変更可能である。
また本体の形状に関しても、三角形、四角形、多角形、円形、星型等どのようなものであってもよいが、角が少ない円形、四角形等の形状が好ましい。
【００１５】
脚部は本体を机上等に起立させることができるものであればどのような形状のものでもかまわない。また、その方法も任意である。例えば薄い長方形の平板の一端を本体と連結し、他端あるいは所定の面を接地させる方法や、円柱状の棒の一端を本体と連結し、他端を地面に接地させる方法が考えられる。
また、該脚部を垂直方向に設ける場合、該脚部は所定角度以上は開かない開閉規制手段を設けることが好ましい。なぜなら、脚部を開いた際に脚部を側面視所定角度で固定しなければ、脚部がどこまでも動いて本体を支持できなくなり、本体が起立しなくなるためである。
脚部を開いた状態における本体と脚部の側面視開き角度は、本体をやや後方に傾斜した状態で起立させることが可能であれば、何度でもかまわないが、約３０度乃至約７０度の範囲にあることが好ましく、さらには約３５度が最も好ましい。
【００１６】
本体裏面に脚部を連結するための手段としてはヒンジを設けて連結する方法が簡便で好ましいが、これに限定されるものではない。
また、脚部が所定以上開かないようにする開閉規制手段としては種々の方法が考えられる。例えば、脚部のヒンジ近辺に凸部や角部等のストッパーを設け、所定以上脚部が開くと該ストッパーが本体に接触してそれ以上開かないようにする方法が考えられる。ただし開閉規制手段はこれに限定されるものではない。
【００１７】
本体裏面には脚部の形状に対応する脚部収容部を設け、脚部を閉じた際に該脚部収容部に脚部が収まるようにするとよい。該収容部は脚部を収容することができれば形状は問わないが、例えば裏面に凹部を設けたり、裏面の下半分の外周端を切り欠いて欠切部を設けること等が考えられる。脚部を収容部に収容させた際、脚部が本体裏面から突出することなく、本体裏面と脚部の外側の面が略同一面を形成することが好ましい。
【００１８】
また脚部は閉じた状態を保持できる仕組みを設けることが好ましい。なぜならネームタグをバッグ等に吊着して用いる際脚部が自由に開閉してしまうと、閉まる際に本体と脚部との衝突音が鳴るなど持ち運びが不便になるためである。
脚部を閉じた状態で保持し、かつ力を加えると脚部が開くようにする方法として、例えば本体と脚部の所定位置にそれぞれ対応する磁石や面ファスナーを設ける方法が考えられるが、これに限定されるものではない。
【００１９】
さらに脚部あるいは本体下部にはタオルやハンカチ等を通して引掛けるための孔部を設けることが好ましい。孔部の位置や形状は任意であるが、タオル等の取り出し易さを考えると、なるべく円形あるいは長方形で開口部が大きいことが好ましい。
【００２０】
本体表面には社名やトーナメント名その他スポンサー名などをペイント、彫刻、プリント等の手段で表示することができる。これによりネームタグは宣伝媒体として使用可能である。
また、本体表面あるいは本体裏面の所定位置には名前を記入する部分を設けるとよい。透明のプレートを設けてその中に名前が書かれた紙を入れてもよいし、単に矩形状に印を付けて、その中に名前を書き込むようにしてもよい。
【実施例】
【００２１】
本考案の一実施形態を図１から図６を参照しながら説明する。
【００２２】
本実施例に係るネームタグ（１）は図１、２に示すように、主に上部が曲線となっている略矩形状の本体（２）と、本体裏面（８）に設けられる略コの字状の脚部（６）とから構成されている。そして該脚部は両端部（１７）がそれぞれ本体裏面の中央部左右端においてヒンジにより本体と連結されている。
本体の大きさは横幅約５５ｍｍ、縦幅約７０ｍｍ、厚さ約３ｍｍである。
【００２３】
本体上部には中空部を有する略矩形状の吊着部（４）が本体から突出する形で設けられている。なお、当然ながら該吊着部は本体から突出させて設ける以外に、本体上部に中空部を設けて構成してもよい。
【００２４】
図４に示すように、本体裏面（８）の左右端及び下端には脚部の形状に対応させて本体厚さを薄くした切欠部（１３）が設けられている。そして脚部が閉じた際に該切欠部に収まることで、脚部が本体裏面から突出することなく、本体裏面（８）と略同一面を形成する。
【００２５】
図２に示すように、本体裏面（８）の左端中央部から右端中央部にかけて、脚部両端部（１７）と連通する形で軸芯（１０）が貫通して設けられており、ヒンジ（９）を構成している。したがって脚部（６）はこの軸芯を軸にして後方に開閉することとなる（図４のＸ方向）。
さらに本考案に係るネームタグ（１）は脚部が所定角度以上開かないようにするための開閉規制手段を有している。
図３、４に示すように、本体裏面には切り欠き部の終端でヒンジを構成する部分に斜面（１５）が形成されている。そして脚部端部面（１６）は回転のための曲面と（１６’）、切り欠き斜面（１５）に合致する形状の面を有し、さらにそれ以上回転を規制するために、切り欠き斜面（１５）に最大限接した場合（図４参照）に少し脚部端部面が突出するよう突起部（１６’’）が設けられている。
これにより脚部の端部面（１６）と本体切欠き斜面（１５）との間では、脚部の回転が軸芯（１０）を軸として一定角度まで可能となる。そして所定角度開くと、図４に示すように脚部の端部面（１６）が本体切欠き斜面と接触し、突起部（１６’’）もストッパーとなってそれ以上脚部は開かないのである。
本実施例に係るネームタグでは、脚部が約３５度まで開くように本体切欠き斜面を形成している。
【００２６】
なお脚部（６）の開き角度は約３５度に限定されるわけではなく、適宜変更可能である。この場合、該角度の変更手段としては種々の方法が考えられるが、例えば本体切欠き斜面（１５）の角度を調整することで、容易に脚部の開き角度の変更が可能である。
例えば脚部の開き角度を小さくし脚部が少ししか開かないようにするには、本体切欠き斜面をほぼ本体裏面に対して直角となるように形成すればよい。こうすることにより脚部を少し開いただけで脚部の端部側面（１６）が該切欠き斜面（１５）に接触しそれ以上は開くことができなくなるため、脚部の開き角度は小さくなる。
【００２７】
図２、３に示すように、本体裏面（８）の左下角及び右下角近辺には円柱状の磁石（７）が埋設されている。そして脚部（６）には閉じた状態でこれらの磁石に対応する位置に円柱状の磁性体（１８）が埋設されている。
したがって脚部を閉じた際には該磁石と該磁性体が磁力により吸着することで脚部は容易には開かなくなる。
磁石はより具体的には永久磁石を使用するが、例えばアルニコ磁石、フェライト磁石、希土類磁石等を用いることができ、特にフェライト磁石が好ましい。また磁性体はより具体的には強磁性体を使用するが、例えば純鉄・軟鋼、ケイ素鉄、Fe-Ni合金、Fe-Co合金、フェライト、センダスト等を用いることができ、特に純鉄・軟鋼が好ましい。
なお、磁石及び磁性体の位置や形状は円柱状に限定されるわけではなく、種々の変更が可能である。
【００２８】
図２に示すように本体裏面（８）の上部には矩形の凹部（５）が設けられている。これは名前を表示するための部分である。名前の表示方法としては種々の方法が考えられるが、例えば該凹部に嵌合する矩形板に名前を印字し、該板を凹部に嵌めこむ方法や、あるいは該凹部に直接名前を彫る方法などがある。もちろん名前の表示方法はこれに限定されるわけではない。
なお、本体表面（３）には社名やゴルフトーナメント名、その他スポンサー名などをペイント、彫刻、プリント等の方法により表示することで、本ネームタグを宣伝媒体としても利用することができる。
【００２９】
脚部（６）の下端面は図３に示すように本体裏面側の角がテーパーとなるように形成されている（１１）。これにより脚部下端と本体下端との間にわずかな空間（１２）が形成されるため、この空間に指又は爪を入れることで容易に脚部を開くことが可能となる。
さらに脚部を開きネームタグを机上等に設置した場合に、該テーパー部分（１１）は机上面等と略平行になるように設けられている。したがってネームタグを起立させて用いる際、脚部のテーパー面全体で本体を支えることが可能であり、より安定して本体の起立姿勢を保持することができる。
【００３０】
本実施例に係るネームタグ（１）には主に二通りの使用態様がある。
一つ目の使用態様は、本体（２）上部に設けられた吊着部（４）に形成される孔にベルトやバンド、紐等を通し、キャディーバッグやその他のバッグ等に掛けて用いる使用態様である。ベルト等は該ネームタグをバッグ等に着脱自在とできるものであればどのようなものであってもよい。当然ながら一度バッグ等に取り付けると取り外し不可能なものを用いてもよい。
本使用態様による場合、脚部（６）は磁力により本体裏面に接着された状態を保持するためバッグ等の持ち運びの際に脚部が自然には開閉しない。そのため脚部が本体と接触することによる音などが発生せず、快適にバッグ等を持ち運ぶことができる。
【００３１】
二つ目の使用態様は、図５に示すように本考案に係るネームタグ（１）を起立させて机上等（Ｄ）に設置して用いる使用態様である。
この場合、脚部（６）下端のテーパー部分（１１）と本体との間にできた空間（１２）に爪を入れ、後方側（図４のＸ方向）へと力を加えることで、脚部はヒンジの軸芯（１０）を軸として後方に開く。そして側面視最大開き角度（約３５度）まで脚部を開き、その状態のまま机上等に設置するのである。本体下辺と脚部下側テーパー面で本体を支持することで、本体がやや後方に傾斜した状態で起立した状態を保持することが可能となる。
【００３２】
なお、本実施例に係るネームタグ（１）では、脚部（６）を開くことで脚部三辺により形成される矩形の孔部（１９）をタオルやハンカチ等を掛ける用途に使用することが可能である。
この場合図６に示すように、ベルト（Ｂ）等によりネームタグをバッグ等に吊着させた状態で脚部を開き、脚部の孔部（１９）にタオル（Ｔ）やハンカチを通せばよい。
該孔部にタオルやハンカチ等を掛けておくことにより、ゴルフのプレー中に必要となった場合わざわざキャディーバッグの中から取り出す必要がなくなり、より快適にゴルフをプレーすることができる。
【符号の説明】
【００３３】
１    ネームタグ
２    本体
３    本体表面
４    吊着部
５    凹部
６    脚部
７    磁石
８    本体裏面
９    ヒンジ
１０  軸芯
１１  テーパー部分
１２  空間
１３  切欠き部
１４  角部
１５  切欠き斜面
１６  脚部端部面
１６’ 曲面
１６’’突起部
１７  脚部両端部
１８  磁性体
１９  孔部
【図１】
0003158912.tif 000003
【図２】
0003158912.tif 000004
【図３】
0003158912.tif 000005
【図４】
0003158912.tif 000006
【図５】
0003158912.tif 000007
【図６】
0003158912.tif 000008